(57)【要約】【課題】本発明の高周波受信装置は、弱電界信号における受信感度を良くするとともに、大きな妨害信号による妨害特性を改善することを目的としたものである。【解決手段】本発明の高周波受信装置は、入力端子１０と増幅器１３との間に挿入された増幅器１２と、この増幅器１２に設けられた利得制御可能な入力と利得制御器２０の出力との間に接続された利得制御器２１とを設けた。これにより、所期の目的を達成することができるものである。【選択図】図１
2008154021.tif 000002
【特許請求の範囲】
【請求項１】
入力端子と、この入力端子に接続された第１の増幅器と、この第１の増幅器の出力が一方の入力に接続された混合器と、この混合器の他方の入力に接続された局部発振器と、前記混合器の出力と前記第１の増幅器に設けられた利得制御可能な第１の入力との間に接続された第１の利得制御器とを備え、前記入力端子と前記第１の増幅器との間に挿入された第２の増幅器と、前記第２の増幅器に設けられた利得制御可能な第２の入力と前記第１の利得制御器の出力との間に接続された第２の利得制御器とを設けた高周波受信装置。
【請求項２】
第２の増幅器は、電界効果トランジスタとした請求項１に記載の高周波受信装置。
【請求項３】
入力端子に入力される信号として、第２の増幅器の利得制御の動作が開始する入力信号レベルは、前記第１の増幅器の利得制御の動作が開始する入力信号レベルより小さく設定した請求項１に記載の高周波受信装置。
【請求項４】
第２の利得制御器は、第１の利得制御器の出力が第１の抵抗を介して一方の入力に接続されるとともに他方の入力を基準電圧とする差動アンプとし、この差動アンプの出力を第２の増幅器の第２の入力に接続し、前記差動アンプの第１の入力と出力との間に第２の抵抗を接続し、前記第１、第２の抵抗値を変えることにより利得制御の開始する入力信号レベルを可変できる請求項１に記載の高周波受信装置。
【発明の詳細な説明】
【技術分野】
【０００１】
本発明は、大きな妨害信号のあるエリアでのテレビ放送信号の受信条件、あるいは弱電界エリアでのテレビ放送信号の受信条件のそれぞれに対応して、良好な受信を可能とする高周波受信装置に関するものである。
【背景技術】
【０００２】
以下、従来の高周波受信装置１について説明する。図３は、従来の高周波受信装置１のブロック図である。
【０００３】
図３において、高周波受信装置１は、テレビ放送信号が入力される入力端子２と、この入力端子２に接続される高周波増幅器３と、この高周波増幅器３の出力が一方の入力に接続されるとともに他方の入力には局部発振器４の出力が接続される混合器５と、この混合器５の出力が接続される中間周波フィルタ６と、この中間周波フィルタ６の出力が接続される中間周波数増幅器７と、この中間周波数増幅器７の出力が接続される出力端子８とで構成されていた。
【０００４】
また、少なくとも高周波増幅器３と、局部発振器４と、混合器５が集積化され、集積回路１ａを構成していた。
【０００５】
なお、この出願の発明に関連する先行技術文献情報としては、例えば、特許文献１が知られている。
【特許文献１】特開２００２−３６７９６４号公報
【発明の開示】
【発明が解決しようとする課題】
【０００６】
しかしながら、従来の高周波受信装置１では、高周波増幅器３および混合器５を集積回路１ａとしていた。この集積回路１ａは、集積化していることにより、雑音指数および妨害信号による特性が劣っていた。このため、受信性能が不十分であった。
【０００７】
そこで、本発明は、この問題を解決したもので、弱電界信号における受信感度を良くするとともに、大きな妨害信号による妨害特性を改善することを目的としたものである。
【課題を解決するための手段】
【０００８】
上記課題を解決するために、入力端子と第１の増幅器との間に挿入された第２の増幅器と、第２の増幅器に設けられた利得制御可能な第２の入力と第１の利得制御器の出力との間に接続された第２の利得制御器とを設けた。これにより所期の目的を達成することができる。
【発明の効果】
【０００９】
以上のように、入力端子と第１の増幅器との間に挿入された第２の増幅器と、第２の増幅器に設けられた利得制御可能な第２の入力と第１の利得制御器の出力との間に接続された第２の利得制御器とを設けた。
【００１０】
このように、弱電界エリアでの受信条件では、第２の増幅器を設けているので、雑音指数の小さい高周波受信装置とできる。このため、弱電界信号における受信感度を大幅に改善できる。
【００１１】
また、第２の増幅器は妨害特性の良い半導体を用い、第２の増幅器の利得制御の開始する入力信号レベルを、第１の増幅器の利得制御の開始する入力信号レベルより小さく設定している。このため、第１の増幅器による歪への影響を小さくできる。従って、大きな妨害信号のある受信条件でも妨害特性のよい高周波受信装置とできる。
【発明を実施するための最良の形態】
【００１２】
以下、本発明の実施の形態について、図１を用いて説明する。図１は、高周波受信装置９のブロック図である。本発明の実施の形態では、一実施例として、デジタル方式のテレビ放送信号を受信する高周波受信装置９について説明する。
【００１３】
この高周波受信装置９には、アンテナが接続された入力端子１０と出力端子１１とが設けられている。入力端子１０から出力端子１１に向かって順に、入力端子１０からの入力信号を増幅する増幅器１２と、この増幅器の出力に接続された増幅器１３と、この増幅器１３の出力が一方の入力に接続された混合器１４と、この混合器１４の他方の入力に接続された局部発振器１５と、混合器１４の出力に接続された中間周波フィルタ１７と、この中間周波フィルタ１７の出力に接続された中間周波数増幅器１８と、この中間周波数増幅器１８の出力に接続された復調回路１９が接続されている。
【００１４】
また、混合器１４の出力と増幅器１３の利得制御のための利得制御入力１３ａの間には、混合器１４の出力レベルを一定にするための利得制御器２０が接続されている。さらに利得制御入力１３ａから増幅器１２に設けられた利得制御用の利得制御入力１２ａに向かって、利得制御器２１が接続されている。
【００１５】
この利得制御器２１には入力端子２１ａと出力端子２１ｂが設けられている。この入力端子２１ａから出力端子２１ｂに向かって、差動増幅器２１ｃが接続されている。さらに、入力端子２１ａと差動増幅器２１ｃの一方の入力との間には抵抗２１ｄが接続され、他方の入力は基準の電圧が入力される入力端子２１ｆが接続されている。そして、差動増幅器２１ｃの一方の入力と出力端子２１ｂの間には抵抗２１ｅが接続されている。
【００１６】
このように構成された高周波受信装置９の動作について説明する。入力端子１０の受信信号は、増幅器１２、１３で利得制御されて、混合器１４の一方の入力に供給される。
【００１７】
この混合器１４の他方の入力には、局部発振器１５からの発振信号が入力されている。これにより混合器１４の出力からは、例えば５７０ｋＨｚの中間周波数となる希望信号が出力される。この中間周波信号は、中間周波フィルタ１７に入力されることにより、妨害信号を抑圧することができる。
【００１８】
この中間周波フィルタ１７から出力された中間周波信号は、中間周波数増幅器１８で増幅されて、復調回路１９に入力される。この復調回路１９にてデジタル信号に変換された後、ＴＳ（トランスポートストリーム）信号が出力端子１１から出力される。
【００１９】
次に、利得制御器２０について説明する。混合器１４から出力される中間周波信号が利得制御器２０に入力される。この利得制御器２０では、中間周波信号を検波し、その検波レベルに応じた利得制御電圧が出力される。
【００２０】
この利得制御電圧は、増幅器１３の利得制御入力１３ａに供給されるとともに、利得制御器２１を介して増幅器１２の利得制御入力１２ａに供給される。
【００２１】
このようにして、増幅器１２、１３は、利得制御器２０、２１によりそれぞれ利得制御される。これにより混合器１４の出力レベルが一定にされる。
【００２２】
次に、増幅器１２と利得制御器２１を用いて、大きな妨害信号に対する特性の改善と弱電界エリアでの受信感度について以下説明する。
【００２３】
なお、増幅器１２には、集積回路１６に対して雑音指数が小さく、かつ妨害特性の優れた半導体素子を用いることができる。例えば電界効果トランジスタを用いても良い。
【００２４】
最初に、大きな妨害信号に対する特性の改善について説明する。増幅器１２、１３の利得制御が開始される入力端子１０でのそれぞれの入力信号レベルをＶ１２、Ｖ１３とする。そして、利得制御器２１を用いて、この入力信号レベルＶ１２を、入力信号レベルＶ１３より小さく設定する。
【００２５】
これにより、妨害信号レベルが強くなったとしても、増幅器１２による利得減衰量の方が大きく設定しているので、増幅器１３による歪を低減できる。
【００２６】
また、増幅器１２には、増幅器１３の妨害特性より優れた半導体素子を用いている。このため、高周波受信装置９としての歪特性を改善することが可能となり、近接した妨害信号に対する妨害特性を改善することができる。
【００２７】
図２は、入力信号レベルに対する利得制御器２０、２１から出力される利得制御電圧の特性図である。
【００２８】
図２において、横軸２５は入力端子１０における入力信号レベル、縦軸２６は利得制御電圧を表す。特性２２は、入力端子１０への入力信号レベルに対する利得制御器２０の利得制御電圧を表す。
【００２９】
この特性２２の利得制御電圧が利得制御器２１に入力される。この利得制御器２１から出力される利得制御電圧は、抵抗２１ｅの抵抗値が、抵抗２１ｄの抵抗値に対して小さい、あるいは同じ場合には、特性２３のようになる。また、抵抗２１ｅの抵抗値が、抵抗２１ｄの抵抗値に対して大きいときは、特性２４のようになる。
【００３０】
すなわち、抵抗２１ｄ、２１ｅの抵抗値の配分を変えることにより、入力信号レベルに対する利得制御器２１から出力される利得制御電圧を変えることができる。従って、抵抗２１ｅの抵抗値を抵抗２１ｄの抵抗値に対して小さい、あるいは同じにすれば、Ｖ１２をＶ１３より小さくすることができる。
【００３１】
これにより、増幅器１３での利得減衰量より増幅器１２での利得減衰量を大きくできる。従って、高周波受信装置９としての歪特性を改善することが可能となる。その結果、近接した妨害信号レベルに対する妨害特性を改善することができる。
【００３２】
一方、弱電界エリアでの受信条件では、増幅器１２および増幅器１３の利得を最大値に近い値で動作させる。このため、高周波受信装置９の雑音指数は、雑音指数の小さい増幅器１２により決定されることになり、高周波受信装置９を小さい雑音指数とすることができる。
【００３３】
この結果、弱電界における受信感度のよい高周波受信装置９を実現できる。
【産業上の利用可能性】
【００３４】
本発明にかかわる高周波受信装置は、厳しい受信条件での高周波信号を受信する装置に利用できる。
【図面の簡単な説明】
【００３５】
【図１】本発明の実施の形態１における高周波受信装置のブロック図
【図２】利得制御器の利得制御電圧の特性図
【図３】従来例における高周波受信装置のブロック図
【符号の説明】
【００３６】
９  高周波受信装置
１０  入力端子
１２  増幅器
１２ａ  利得制御入力
１３  増幅器
１３ａ  利得制御入力
１４  混合器
１５  局部発振器
２０  利得制御器
２１  利得制御器
【図１】
2008154021.tif 000003
【図２】
2008154021.tif 000004
【図３】
2008154021.tif 000005